(57)【特許請求の範囲】
【請求項１】
オープンケーソン底版の構築方法であって、
オープンケーソン沈設後、
オープンケーソン底面上に、下部先端近くに耐圧板を有する支柱を建込み、
支柱天端と、オープンケーソン側壁天端間にわたって、反力桁を架設し、
水中コンクリートを打設して、
躯体底版を構築することを特徴とする、
地下躯体底版の構築方法。
【請求項２】
請求項１に記載の地下躯体底版の構築方法において、
オープンケーソン底面上に建込まれる支柱は、オープンケーソンの内空断面に対応して、複数本設置されることを特徴とする、
地下躯体底版の構築方法。
【発明の詳細な説明】
【０００１】
【発明の属する技術分野】
本発明は、地下躯体となるオープンケーソンの、底版の構築方法に関する。
【０００２】
【従来の技術】
地下躯体を構築する方法の一つとして、オープンケーソン工法がある。
オープンケーソン工法は、壁体の剛性が高いことを利用して、沈設完了後、底部に水中コンクリートを打設し、底版を構築して閉塞することにより、地下躯体の構築を行うものである。
しかし、構造物が大型化する現在においては、オープンケーソンの底版平面も拡大化し、底版の設計上のスパンは長くなり、これに伴ってコンクリートの厚さが増加することになる。
以下、図面を参照して従来技術を説明する。
オープンケーソン工法の底版１は、水中コンクリートとして打設するのが普通で、一般には無筋コンクリートで施工される。
底版１の設計は、図６の縦断面図に示すように、底版１内の応力伝達を４５度とすると、両側壁２からの応力伝達線Ｓが、底面で重複する点Ｐとなるような、小型のオープンケーソン径であれば塊体として考えてよく、底版１の曲げ応力は問題とならない。
しかし、最近では図７の縦断面図に示すように、底版１内の応力伝達は、両側壁２からの応力伝達線Ｓが底面で重複しない大型のオープンケーソン３が増加しており、底版１はＰ1 、Ｐ2 を設計上のスパンとする曲げ応力を考慮した設計を行うことが必要となり、その結果、底版１の厚さを、両側壁２からの応力伝達線Ｓが、底面で重複する点Ｐとなるまで増加しなければならないことになる。
【０００３】
そのため、オープンケーソン３の内部空間を容器等として利用する構造物の場合は、オープンケーソン３の沈設深度を増加する必要があり、工期、工費の増加を招き、経済性、効率化の点で問題があった。
【０００４】
【発明が解決しようとする課題】
本発明は、上記従来の問題点を解決するためなされたもので、簡単な方法で、経済的、効率的な地下躯体底版の構築方法を提供することを目的とする。
【０００５】
【課題を解決するための手段】
オープンケーソン沈設後、オープンケーソン底面上に、下部先端近くに耐圧板を有する支柱を建込み、支柱天端と、オープンケーソン側壁天端間にわたって、反力桁を架設し、水中コンクリートを打設して、躯体底版を構築することを特徴とする、地下躯体底版の構築方法であり、また、オープンケーソン底面上に建込まれる支柱は、オープンケーソンの内空断面に対応して、複数本設置されることを特徴とする、地下躯体底版の構築方法である。
【０００６】
【発明の実施の形態】
以下図面を参照しながら本発明の実施形態について説明する。
【０００７】
【構築方法の概要】
図３は、本発明による地下躯体底版の構築状況を示す縦断面図である。
オープンケーソン３を沈設後、オープンケーソン底面Ｇ上に支柱４を建込み、支柱４天端と、オープンケーソン側壁２天端間にわたって、反力桁５を架設し、水中コンクリートを打設して、躯体底版１を構築する。
【０００８】
【施工順序】
以下、図面を参照して施工順序に従って説明する。
【０００９】
＜イ＞支柱の建込み
図１は、沈設が終わったオープンケーソン３内部空間に、支柱４を建込んでいる状況を示す縦断面図である。
支柱４の平面形状は、円柱、角柱いずれでもよく、下端先端近くに耐圧板４１が取付けてある。
この耐圧板４１は、後述する底盤１内からの応力伝達を受持つ機能を有するものである。
支柱４は、オープンケーソン３の底面Ｇ上に、図示しないクレーンなどにより建込まれる。
また、オープンケーソン３の内部空間が広く、耐圧板４１が底版１内からの応力伝達を受持つ機能が不足する場合は、オープンケーソン３の内空断面に対応して、複数本設置される。（図示せず）
【００１０】
＜ロ＞反力桁の架設
図２は、オープンケーソン３上に反力桁５を架設した状況を示す縦断面図である。
反力桁５は、前記支柱４天端と、オープンケーソン３の側壁２天端間にわたって架設され、引張鋼材７により固定される。
反力桁５は、支柱４からの反力に対応し、複数本設置する場合もある。
支柱４に設けた耐圧板４１からの反力を、支柱４を介して反力桁５に伝達し、その力は、引張鋼材７を介して側壁２に伝達され、後述の底版１内からの応力伝達を受止める機能を果たすものである。
【００１１】
＜ハ＞底版の構築
図３は、地下躯体となるオープンケーソン３の底版１構築状況を示す縦断面図である。
底版１は、図示しないトレミー管等により、水中コンクリートを打設して構築される。
構築された底版１の反力は、支柱４に設けた耐圧板４１で受止め、支柱４を介して反力桁５に伝達されるものである。
この支柱４及び耐圧板４１の設置により、両側壁２からの応力伝達線Ｓは、底面ＧのＰ1 、Ｐ2 で重複し、塊体として考えてよく、底版１の曲げ応力は問題とならない構造物とすることができる。
そのため、底版１となる水中コンクリートの打設厚さも薄くてよく、さらに、オープンケーソン３の内部空間も有効に利用できることになる。
【００１２】
＜ニ＞底床版の構築
図４は、底版１上に底床版を構築した状況を示す縦断面図である。
底版１を構築後、オープンケーソン３内部の水を排出し、ドライな状態で、鉄筋コンクリートの底床版６を構築する。
【００１３】
＜ホ＞反力桁の撤去
図５は、地下躯体の構築が完了した状態を示す縦断面図である。
側壁２、支柱４上に固定した反力桁５を撤去し、オープンケーソン３による地下躯体の構築が完成する。
支柱４の撤去は、底床版６の天端で切断し、切断された支柱４は回収され、別途工事に転用できる。
【００１４】
【発明の効果】
本発明は以上説明したようになるから、次のような効果を得ることができる。＜イ＞オープンケーソン内に、耐圧板を有する支柱を設置したので、開口面積の大きいオープンケーソンであっても、底版設計上のスパンが減少でき、底版厚を薄くできる。
＜ロ＞底版厚を薄くできるので、オープンケーソンの沈設深度は少なくてよく、工期、工費の低減となる。
＜ハ＞支柱は回収でき、転用が可能である。
【図面の簡単な説明】
【図１】本発明による支柱をオープンケーソンの内部に建込んでいる状況を示す縦断面図。
【図２】オープンケーソン上に反力桁を架設した状況を示す縦断面図。
【図３】底版の構築状況を示す縦断面図。
【図４】底版上に底床版を構築した状態を示す縦断面図。
【図５】地下躯体の構築が完成した状態を示す縦断面図。
【図６】従来技術を示す縦断面図。
【図７】同上の、大型オープンケーソンの場合を示す縦断面図。
【図１】
0003797754.tif 000002
【図２】
0003797754.tif 000003
【図３】
0003797754.tif 000004
【図４】
0003797754.tif 000005
【図５】
0003797754.tif 000006
【図６】
0003797754.tif 000007
【図７】
0003797754.tif 000008